(57)【要約】【課題】照明器具の腐蝕を防止するために照明器具の全体を照明器具用カバーで被覆した照明装置において、照明器具の故障や損傷を防止すること。【解決手段】本発明では、照明器具（２）の全体を照明器具用カバー（３）で被覆した照明装置（１）において、或は、照明器具（２）の全体を被覆する照明器具用カバー（３）において、照明器具用カバー（３）は、吸気口（１４）と排気口（１３）とを有し、排気口（１３）を照明器具（２）の発光部（８）よりも上部側に形成するとともに、、排気口（１３）よりも下方に吸気口（１４）を形成することにした。特に、前記吸気口（１４）及び排気口（１３）にフィルター（１５）を設けることにした。また、前記照明器具（２）の照射領域の外側に前記吸気口（１４）を設けることにした。【選択図】図３
2018092927.tif 000002
【特許請求の範囲】
【請求項１】
照明器具の全体を照明器具用カバーで被覆した照明装置において、
照明器具用カバーは、吸気口と排気口とを有し、排気口を照明器具の発光部よりも上部側に形成するとともに、排気口よりも下方に吸気口を形成したことを特徴とする照明装置。
【請求項２】
照明器具の全体を被覆する照明器具用カバーにおいて、
吸気口と排気口とを有し、排気口を照明器具の発光部よりも上部側に形成するとともに、排気口よりも下方に吸気口を形成したことを特徴とする照明器具用カバー。
【請求項３】
前記吸気口及び排気口にフィルターを設けたことを特徴とする請求項２に記載の照明器具用カバー。
【請求項４】
前記照明器具の照射領域の外側に前記吸気口を設けたことを特徴とする請求項２又は請求項３に記載の照明器具用カバー。
【発明の詳細な説明】
【技術分野】
【０００１】
本発明は、照明器具の全体を被覆する照明器具用カバー及び同照明器具用カバーで照明器具の全体を被覆した照明装置に関するものである。
【背景技術】
【０００２】
従来より、工場の建屋内における屋内照明としての照明器具は、工場の建屋の天井等に露出させた状態で取付けられて使用されている。
【０００３】
この工場内で使用される照明器具は、電球やＬＥＤなどの発光部を保護するためにカバーが設けられているものの、照明器具を取付けるための取付部や発光部で発生した熱を放出する放熱部などの金属部分が被覆されずに露出した状態となっている。
【０００４】
そのため、工場内で使用される薬剤によって発生する酸性ガス等によって照明器具の金属部分が侵食されてしまう。そして、照明器具の取付部の腐蝕によって照明器具の落下事故が発生するおそれがあり、また、照明器具の放熱部の腐蝕によって照明器具の故障事故が発生するおそれがある。
【０００５】
このような不具合を解消するために、照明器具の全体を照明器具用カバーで密閉状に被覆することが考えられる（たとえば、特許文献１参照。）。
【先行技術文献】
【特許文献】
【０００６】
【特許文献１】特開２００８−１６６２１４号公報
【発明の概要】
【発明が解決しようとする課題】
【０００７】
ところが、上記のように単に照明器具の全体を照明器具用カバーで密閉状に被覆してしまうと、発光部で発生した熱を放熱部から良好に放出することができずに、照明器具の故障が発生するおそれがある。
【０００８】
また、上記のように単に照明器具の全体を照明器具用カバーで密閉状に被覆してしまうと、発光部で発生した熱によって空気が膨張するため、照明器具用カバーの破損が発生するおそれがある。
【課題を解決するための手段】
【０００９】
そこで、請求項１に係る本発明では、照明器具の全体を照明器具用カバーで被覆した照明装置において、照明器具用カバーは、吸気口と排気口とを有し、排気口を照明器具の発光部よりも上部側に形成するとともに、排気口よりも下方に吸気口を形成することにした。
【００１０】
また、請求項２に係る本発明では、照明器具の全体を被覆する照明器具用カバーにおいて、吸気口と排気口とを有し、排気口を照明器具の発光部よりも上部側に形成するとともに、排気口よりも下方に吸気口を形成することにした。
【００１１】
また、請求項３に係る本発明では、前記請求項２に係る本発明において、前記吸気口及び排気口にフィルターを設けることにした。
【００１２】
また、請求項４に係る本発明では、前記請求項２又は請求項３に係る本発明において、前記照明器具の照射領域の外側に前記吸気口を設けることにした。
【発明の効果】
【００１３】
そして、本発明では、以下に記載する効果を奏する。
【００１４】
すなわち、本発明では、照明器具の全体を被覆する照明器具用カバーにおいて、照明器具用カバーは、吸気口と排気口とを有し、排気口を照明器具の発光部よりも上部側に形成するとともに、排気口よりも下方に吸気口を形成しているために、発光部で発生した熱によって照明器具用カバーの内部で吸気口から排気口へと自然に流れる対流を発生させることができる。これにより、発光部で発生した熱やその熱によって膨張した空気を排気口から良好に放出することができ、照明器具の故障や損傷を防止することができる。
【００１５】
特に、吸気口及び排気口にフィルターを設けた場合には、吸気口から侵食性を有するガス等が混入するのを防止することができる。
【００１６】
また、照明器具の照射領域の外側に吸気口を設けた場合には、吸気口によって光の照射に支障をきたすのを防止することができる。
【図面の簡単な説明】
【００１７】
【図１】実施例１に係る照明装置を示す正面図（ａ）、側面図（ｂ）。
【図２】同平面図（ａ）、底面図（ｂ）。
【図３】同正面断面図（ａ）、側面断面図（ｂ）。
【図４】同平面断面図（ａ）、底面断面図（ｂ）。
【図５】実施例２に係る照明装置を示す正面図（ａ）、側面図（ｂ）。
【図６】同平面図（ａ）、底面図（ｂ）。
【図７】同正面断面図（ａ）、側面断面図（ｂ）。
【図８】同平面断面図（ａ）、底面断面図（ｂ）。
【発明を実施するための形態】
【００１８】
以下に、本発明に係る照明装置及び照明器具用カバーの具体的な構成について図面を参照しながら説明する。
【００１９】
［実施例１］
図１〜図４に示すように、実施例１に係る照明装置１は、照明器具２の全体を照明器具用カバー３で被覆した構成となっており、取付具４を介して天井等に取付けられて使用される。
【００２０】
照明器具２は、本体５を支持体６（取付部）で支持されている。支持体６は、取付具４に締結具７で着脱自在に取付けられている。
【００２１】
照明器具２の本体５は、下側に下方の所定の範囲へ向けて光を照射するための発光部８を形成するとともに、上側に発光部８で発生した熱を放射するための放熱部９を形成している。
【００２２】
発光部８は、内部にＬＥＤ等の発光源や反射体などを収容して、下方の所定の範囲へ向けて光を照射する。これにより、照明器具２（発光部８）には、光が照射（通過）する所定の照射領域（図３中に一点鎖線で示す領域）が形成されている。なお、発光部８の下面には、発光源を保護するための保護カバーが取付けられている。
【００２３】
放熱部９は、発光部８の上部に放熱用のフィンを取付けて、発光部８で発生した熱を発光部８よりも上側で上方へ向けて放射（放熱）するようにしている。
【００２４】
照明器具用カバー３は、発光部８の保護カバーとは別体に設けられ、保護カバーを含めた照明器具２の全体を一体的に被覆している。
【００２５】
この照明器具用カバー３は、アクリルやガラスなどの透光性を有する素材からなり、天井壁10と４枚の側壁11と底壁12とで中空矩形箱型状に形成している。
【００２６】
天井壁10は、取付具４と照明器具２の支持体６との間に挟持されて締結具７で固定されている。
【００２７】
各側壁11には、複数の円形貫通孔からなる排気口13を形成している。この排気口13は、照明器具用カバー３によって全体を被覆される照明器具２の発光部８よりも上側であって、照明器具２の放熱部９の側方側（放熱部９の下端部よりも上側）に、同一高さで横一列に形成されており、照明器具用カバー３の内部の空気を水平方向へ向けて放出するようにしている。なお、排気口13は、照明器具２の照射領域よりも外側に形成している。
【００２８】
底壁12には、複数の矩形貫通孔からなる吸気口14を形成している。この吸気口14は、照明器具用カバー３によって全体を被覆される照明器具２の発光部８よりも下側に形成されており、照明器具用カバー３の内部へ空気を垂直方向へ向けて吸入するようにしている。吸気口14には、用途に応じたフィルター15（たとえば、酸性ガスを捕捉するフィルターや微細塵を捕捉するフィルターなど）が着脱自在（交換自在）に取付けられている。なお、排気口14は、照明器具２の照射領域よりも外側に形成している。
【００２９】
そして、上記照明装置１では、照明器具用カバー３の外部の空気が、吸気口14から内部に垂直方向（真上方向）へ向けて流入し、照明器具用カバー３の内部において照明器具２の発光部８の熱で膨張され、発光部８の熱によって生成される自然対流に沿って流れ、排気口13から外部に水平方向（真横方向）へ向けて流出するようになっている。なお、排気口13から膨張した空気が流出するため、排気口13の開口面積を吸気口14の開口面積よりも広くすることで、より円滑に空気を流動させることができる。
【００３０】
なお、上記照明装置１において、吸気口14や排気口13に網を設けたり、照明器具用カバー３の全体に網をかけて、害虫等の侵入を防止してもよい。これにより、発光部８の熱等によって死滅した害虫等が放熱部９に付着して放熱を妨げることで照明器具１が故障してしまうのを防止することができる。
【００３１】
以上に説明したように、上記照明装置１の照明器具用カバー３は、被覆される照明器具２の発光部８よりも下部側に吸気口14が配置され、上部側に排気口13が配置された構成となっている。
【００３２】
そのため、上記構成の照明装置１（照明器具用カバー３）では、照明器具２の発光部８で発生した熱によって照明器具用カバー３の内部で吸気口14から排気口13へと自然に流れる対流を発生させることができ、発光部８で発生した熱やその熱によって膨張した空気を排気口13から良好かつ円滑に放出することができるので、照明装置１（照明器具２）の故障や損傷を防止することができる。
【００３３】
また、上記照明装置１の照明器具用カバー３は、吸気口14にフィルター15を設けた構成となっている。
【００３４】
そのため、上記構成の照明装置１（照明器具用カバー３）では、吸気口14から侵食性を有するガス等が混入するのを防止することができ、より一層、照明装置１（照明器具２）の故障や損傷を防止することができる。
【００３５】
また、上記照明装置１の照明器具用カバー３は、照明器具２の照射領域の外側に吸気口14及び排気口13を設けた構成となっている。
【００３６】
そのため、上記構成の照明装置１（照明器具用カバー３）では、吸気口14や排気口13によって光の照射に支障をきたすのを防止することができる。
【００３７】
［実施例２］
図５〜図８に示すように、実施例２に係る照明装置16は、照明器具17の全体を照明器具用カバー18で被覆した構成となっており、取付具19を介して天井等に取付けられて使用される。
【００３８】
照明器具17は、本体20を支持体21（取付部）で支持されている。支持体21は、取付具19に締結具22で着脱自在に取付けられている。
【００３９】
照明器具17の本体20は、下側に下方の所定の範囲へ向けて光を照射するための発光部23を形成するとともに、上側に発光部23で発生した熱を放射するための放熱部24と発光部23に電力を供給する電源部25とを上下に間隔をあけて形成している。
【００４０】
発光部23は、内部にＬＥＤ等の発光源や反射体などを収容して、下方の所定の範囲へ向けて光を照射する。これにより、照明器具17（発光部23）には、光が照射（通過）する所定の照射領域（図７中に一点鎖線で示す領域）が形成されている。なお、発光部23の下面には、発光源を保護するための保護カバーが取付けられている。
【００４１】
放熱部24は、発光部23の上部に放熱用のフィンを取付けて、発光部23で発生した熱を発光部23よりも上側で上方へ向けて放射（放熱）するようにしている。
【００４２】
電源部25は、電源から供給される交流電流を直流電流に変換して発光部23に供給するようにしている。
【００４３】
照明器具用カバー18は、発光部23の保護カバーとは別体に設けられ、保護カバーを含めた照明器具17の全体を一体的に被覆している。
【００４４】
この照明器具用カバー18は、アクリルやガラスなどの透光性を有する素材からなり、天井壁26と４枚の側壁27と底壁28とで中空矩形箱型状に形成している。
【００４５】
天井壁26は、取付具19と照明器具17の支持体21との間に挟持されて締結具22で固定されている。天井壁26には、複数の矩形貫通孔からなる排気口29を形成している。各排気口29には、矩形貫通孔を有するホルダー30が取付けられており、ホルダー30に用途に応じたフィルター31（たとえば、酸性ガスを捕捉するフィルターや微細塵を捕捉するフィルターなど）が着脱自在（交換可能）に設けられている。この排気口29は、照明器具用カバー18によって全体を被覆される照明器具17の発光部23や放熱部24及び電源部25（発熱源）よりも上側に形成されており、照明器具用カバー18の内部の空気を発熱源の熱による対流を利用して上方へ向けて放出するようにしている。なお、排気口29は、照明器具17の照射領域よりも外側に形成している。
【００４６】
各側壁27には、複数の矩形貫通孔からなる吸気口32を形成している。各吸気口32には、矩形貫通孔を有するホルダー33が取付けられており、ホルダー33に用途に応じたフィルター31（たとえば、酸性ガスを捕捉するフィルターや微細塵を捕捉するフィルターなど）が着脱自在（交換可能）に設けられている。この吸気口32は、照明器具用カバー18によって全体を被覆される照明器具17の発光部23よりも上側であって、照明器具17の放熱部24や電源部25（発熱源）の側方側に形成されており、照明器具用カバー18の内部に空気を水平方向へ向けて吸入するようにしている。なお、吸気口32は、照明器具17の照射領域よりも外側に形成している。
【００４７】
そして、上記照明装置16では、照明器具用カバー18の外部の空気が、吸気口32から内部に水平方向（真横方向）へ向けて流入し、照明器具用カバー18の内部において照明器具17の発光部23や放熱部24や電源部25（発熱源）の熱で膨張され、発熱源の熱によって生成される自然対流に沿って流れ、排気口29から外部に垂直方向（真上方向）へ向けて流出するようになっている。なお、排気口29から膨張した空気が流出するため、排気口29の開口面積を吸気口32の開口面積よりも広くすることで、より円滑に空気を流動させることができる。
【００４８】
なお、上記照明装置16において、吸気口32や排気口29に網を設けたり、照明器具用カバー18の全体に網をかけて、害虫等の侵入を防止してもよい。これにより、発光部23の熱等によって死滅した害虫等が放熱部24に付着して放熱を妨げることで照明器具１が故障してしまうのを防止することができる。
【００４９】
以上に説明したように、上記照明装置16の照明器具用カバー18は、吸気口32と排気口29とを有し、排気口29を照明器具17の発光部23よりも上部側に形成するとともに、排気口29よりも下方に吸気口32を形成した構成となっている。
【００５０】
そのため、上記構成の照明装置16（照明器具用カバー18）では、発光部23で発生した熱によって照明器具用カバー18の内部で吸気口29から排気口32へと自然に流れる対流を発生させることができる。これにより、発光部23で発生した熱やその熱によって膨張した空気を排気口29から良好に放出することができ、照明器具１の故障や損傷を防止することができる。
【００５１】
また、上記照明装置16（照明器具用カバー18）は、吸気口32及び排気口29にフィルターを設けた構成となっている。
【００５２】
そのため、上記構成の照明装置16（照明器具用カバー18）では、吸気口29から侵食性を有するガス等が混入するのを防止することができる。
【００５３】
また、上記照明装置16（照明器具用カバー18）は、照明器具17の照射領域の外側に吸気口29を設けた構成となっている。
【００５４】
そのため、上記構成の照明装置16（照明器具用カバー18）では、吸気口29によって光の照射に支障をきたすのを防止することができる。
【符号の説明】
【００５５】
1,16  照明装置                      2,17  照明器具
3,18  照明器具用カバー              4,19  取付具
5,20  本体                          6,21  支持体
7,22  締結具                        8,23  発光部
9,24  放熱部                        10,26  天井壁
11,27  側壁                         12,28  底壁
13,29  排気口                       14,32  吸気口
15,31  フィルター                   25  電源部
30  ホルダー
【図１】
2018092927.tif 000003
【図２】
2018092927.tif 000004
【図３】
2018092927.tif 000005
【図４】
2018092927.tif 000006
【図５】
2018092927.tif 000007
【図６】
2018092927.tif 000008
【図７】
2018092927.tif 000009
【図８】
2018092927.tif 000010